(57)【特許請求の範囲】
【請求項１】
原稿が載置されるコンタクトガラスと、
前記コンタクトガラスの下方に配置され、前記原稿に光を照射する照明部を有し、副走査方向に往復移動可能な光学ユニットと、
前記光学ユニットを副走査方向に移動させる駆動機構と、
前記原稿からの反射光を受光し、受光した反射光を電気信号に変換して出力する光電変換部と、
前記光電変換部の出力に基づいて前記原稿のサイズを検出する制御部と、
を備え、
前記照明部は、主走査方向に延びるとともに、入射した光を前記主走査方向に沿って導光しながら前記原稿に出射する棒状の導光部材と、前記導光部材の主走査方向一方側の第１端面および主走査方向他方側の第２端面に対向配置され、前記第１端面および前記第２端面に向けて光を出射する光源と、を有し、
前記制御部は、前記導光部材の前記第１端面に対向配置された前記光源のみを発光させることにより前記原稿の主走査方向の他方端に発生する影に応じた前記光電変換部の出力に基づいて前記原稿の主走査方向の他方端の位置を検出するとともに、前記導光部材の前記第２端面に対向配置された前記光源のみを発光させることにより前記原稿の主走査方向の一方端に発生する影に応じた前記光電変換部の出力に基づいて前記原稿の主走査方向の一方端の位置を検出することによって、前記原稿の主走査方向のサイズを検出することを特徴とする画像読取装置。
【請求項２】
前記原稿の副走査方向の一方端を突き当てて位置決めするための副走査方向位置決め部材を備え、
前記光学ユニットは、前記原稿からの反射光を所定方向に反射して前記光電変換部に導くミラーを有し、
前記照明部は、前記ミラーに対して副走査方向位置決め部材側に配置されていることを特徴とする請求項１に記載の画像読取装置。
【請求項３】
前記光学ユニットは、前記原稿からの反射光を所定方向に反射して前記光電変換部に導くミラーを有し、
前記導光部材は、前記ミラーに対して副走査方向一方側に配置される第１導光部材と、前記ミラーに対して副走査方向他方側に配置される第２導光部材と、を含み、
前記光源は、前記第１導光部材の主走査方向の端面に対向配置される第１光源と、前記第２導光部材の主走査方向の端面に対向配置される第２光源と、を含むことを特徴とする請求項１に記載の画像読取装置。
【請求項４】
前記原稿の画像を読み取る場合、前記第１端面に対向配置された前記光源と前記第２端面に対向配置された前記光源との両方が発光することを特徴とする請求項１〜３のいずれか１項に記載の画像読取装置。
【請求項５】
前記光学ユニットが前記コンタクトガラスの下方を副走査方向に往復移動する場合、往路時に前記原稿のサイズの検出動作と前記原稿の画像の読み取り動作との一方を行い、復路時に前記原稿のサイズの検出動作と前記原稿の画像の読み取り動作との他方を行うことを特徴とする請求項４に記載の画像読取装置。
【請求項６】
前記光学ユニットが前記コンタクトガラスの下方を副走査方向に往復移動する場合、往路時または復路時に前記原稿のサイズの検出動作と前記原稿の画像の読み取り動作とを交互に繰り返し行うことを特徴とする請求項４に記載の画像読取装置。
【請求項７】
請求項１〜６のいずれか１項に記載の画像読取装置を備えることを特徴とする画像形成装置。
【発明の詳細な説明】
【技術分野】
【０００１】
本発明は、デジタル複写機やイメージスキャナー等に用いられる、原稿を走査して読み取る画像読取装置及びそれを備えた画像形成装置に関する。
【背景技術】
【０００２】
従来、電子写真プロセスを用いた複写機等に搭載される画像読取装置には、シート状の原稿を読み取るために順次原稿載置台へ送り込み、読み取り終了後に原稿載置台上から排出するような原稿搬送装置を備えたものがある。このような画像読取装置においては、原稿押さえを閉じたままで原稿搬送装置によって原稿を自動的に搬送して読み取るシートスルー方式と、読み取る毎に原稿押さえを開閉して原稿載置台（コンタクトガラス）上の原稿を１枚ずつ取り替えて光学ユニットを移動させて原稿を読み取る原稿固定方式と、の２種類の読み取り方式が可能である。なお、前者のシートスルー方式では、画像読取装置内の光学ユニットが走査移動することなく所定の画像読取位置に保持されたまま原稿の読取動作が行われ、他方、後者の原稿固定方式では、その光学ユニットが走査移動しながら読取動作が行われる。
【０００３】
特許文献１には、原稿固定方式の読み取り方式が可能な画像読取装置が開示されている。この画像読取装置は、原稿が載置される原稿台（コンタクトガラス）と、原稿台の下方に配置され、副走査方向に走査されて原稿台上の原稿の画像を読み取る読取スキャナーと、を備える。読取スキャナーは、副走査方向に所定間隔を隔てて配置され原稿に光を照射する第１の光源ランプおよび第２の光源ランプと、副走査方向において第１の光源ランプおよび第２の光源ランプの間に配置され原稿からの反射光を所定方向に反射するミラーと、原稿からの反射光を受光するＣＣＤユニット（光電変換部）と、を有する。
【０００４】
この画像読取装置では、原稿の副走査方向の端部の位置を検出する場合、第１の光源ランプまたは第２の光源ランプを発光させて原稿の副走査方向の端部に発生する影に基づいて原稿の副走査方向の端部の位置を検出し、原稿の副走査方向のサイズを検出する。一方、原稿の主走査方向のサイズを検出する場合、原稿の副走査方向のサイズを検出する際に原稿の副走査方向の端部に発生した影の範囲から、原稿の主走査方向のサイズを予測する。
【先行技術文献】
【特許文献】
【０００５】
【特許文献１】特開２００３−２４４４０３号公報
【発明の概要】
【発明が解決しようとする課題】
【０００６】
しかしながら、特許文献１の画像読取装置では、原稿の副走査方向の端部に発生した影の範囲から、原稿の主走査方向のサイズを予測するので、原稿の主走査方向のサイズの検出精度が低いという問題点がある。
【０００７】
本発明は、上記のような課題を解決するためになされたものであり、本発明の目的は、原稿の主走査方向のサイズの検出精度を向上させることが可能な画像読取装置及びそれを備えた画像形成装置を提供することである。
【課題を解決するための手段】
【０００８】
上記目的を達成するために、本発明の第１の局面に係る画像読取装置は、原稿が載置されるコンタクトガラスと、コンタクトガラスの下方に配置され、原稿に光を照射する照明部を有し、副走査方向に往復移動可能な光学ユニットと、光学ユニットを副走査方向に移動させる駆動機構と、原稿からの反射光を受光し、受光した反射光を電気信号に変換して出力する光電変換部と、光電変換部の出力に基づいて原稿のサイズを検出する制御部と、を備える。照明部は、主走査方向に延びるとともに、入射した光を主走査方向に沿って導光しながら原稿に出射する棒状の導光部材と、導光部材の主走査方向一方側の第１端面および主走査方向他方側の第２端面に対向配置され、第１端面および第２端面に向けて光を出射する光源と、を有する。制御部は、導光部材の第１端面に対向配置された光源のみを発光させることにより原稿の主走査方向の他方端に発生する影に応じた光電変換部の出力に基づいて原稿の主走査方向の他方端の位置を検出するとともに、導光部材の第２端面に対向配置された光源のみを発光させることにより原稿の主走査方向の一方端に発生する影に応じた光電変換部の出力に基づいて原稿の主走査方向の一方端の位置を検出することによって、原稿の主走査方向のサイズを検出する。
【発明の効果】
【０００９】
本発明の第１の局面に係る画像読取装置によれば、光学ユニットの照明部は、主走査方向に延びるとともに、入射した光を主走査方向に沿って導光しながら原稿に出射する棒状の導光部材と、導光部材の主走査方向一方側の第１端面および主走査方向他方側の第２端面に対向配置され、第１端面および第２端面に向けて光を出射する光源と、を有する。そして、制御部は、導光部材の第１端面に対向配置された光源のみを発光させることにより原稿の主走査方向の他方端に発生する影に応じた光電変換部の出力に基づいて原稿の主走査方向の他方端の位置を検出するとともに、導光部材の第２端面に対向配置された光源のみを発光させることにより原稿の主走査方向の一方端に発生する影に応じた光電変換部の出力に基づいて原稿の主走査方向の一方端の位置を検出することによって、原稿の主走査方向のサイズを検出する。これにより、原稿の主走査方向のサイズの検出精度を向上させることができる。
【図面の簡単な説明】
【００１０】
【図１】本発明の第１実施形態に係る画像読取装置を備えた画像形成装置の内部構成を示す正面断面図である。
【図２】本発明の第１実施形態の画像読取装置の内部構成を示す正面断面図である。
【図３】本発明の第１実施形態の画像読取装置の上面図である。
【図４】本発明の第１実施形態の画像読取装置の主走査方向に沿った断面図であり、原稿の主走査方向の一方端に影が生じた状態を示した図である。
【図５】本発明の第１実施形態の画像読取装置の主走査方向に沿った断面図であり、原稿の主走査方向の他方端に影が生じた状態を示した図である。
【図６】本発明の第１実施形態の画像読取装置の副走査方向に沿った断面図であり、原稿の副走査方向の他方端に影が生じた状態を示した図である。
【図７】本発明の第１実施形態の画像読取装置の制御経路の一例を示すブロック図である。
【図８】本発明の第２実施形態の画像読取装置の内部構成を示す正面断面図である。
【図９】本発明の第２実施形態の画像読取装置の上面図である。
【図１０】本発明の第２実施形態の画像読取装置の主走査方向に沿った断面図であり、原稿の主走査方向の一方端に影が生じた状態を示した図である。
【図１１】本発明の第２実施形態の画像読取装置の主走査方向に沿った断面図であり、原稿の主走査方向の他方端に影が生じた状態を示した図である。
【図１２】本発明の第２実施形態の画像読取装置の副走査方向に沿った断面図であり、原稿の副走査方向の一方端に影が生じた状態を示した図である。
【図１３】本発明の第２実施形態の画像読取装置の副走査方向に沿った断面図であり、原稿の副走査方向の他方端に影が生じた状態を示した図である。
【発明を実施するための形態】
【００１１】
以下、本発明の実施形態について図面を参照して説明する。
【００１２】
（第１実施形態）
図１は、本発明の第１実施形態に係る画像読取装置２１を備えた画像形成装置１００の内部構成を示す正面断面図であり、図２は、本発明の第１実施形態の画像読取装置２１の内部構成を示す正面断面図であり、図３は、本発明の第１実施形態の画像読取装置２１の上面図である。
【００１３】
図１に示すように、画像形成装置１００は、いわゆる胴内排出型のデジタル複写機であって、大きくは、本体ハウジング２０と、その上部に配設された画像読取装置２１とから構成されている。画像読取装置２１内には、原稿の画像を電気信号として読み取るための後述する各種機構が設けられ、他方、本体ハウジング２０内には、画像読取装置２１で読み取られた原稿画像の電気信号に基づいて用紙に画像を転写するための後述する各種機構が設けられる。
【００１４】
本体ハウジング２０は、下ハウジング２０ａと、その上方で左側部に沿って位置し画像読取装置２１に連結される連結ハウジング２０ｂと、で構成され、下ハウジング２０ａには、用紙を収容し給紙するための給紙部や、用紙上にトナー画像を形成する画像形成部や、用紙上のトナー画像を定着するための定着部等が設けられ、他方、連結ハウジング２０ｂには、定着後の用紙を搬送して排出するための用紙排出部が設けられている。また、画像読取装置２１の直下における連結ハウジング２０ｂの右側方には、右側面及び正面に向けて大きく開放された胴内排紙空間２２が形成されており、この胴内排紙空間２２には、連結ハウジング２０ｂの右側面から水平方向に排出される用紙を受け取って積載するための用紙排出トレイ２３が設けられている。
【００１５】
画像読取装置２１の上面には、コンタクトガラス２５や、正面側に表出した操作パネル（図示せず）が配設されている。更に、画像読取装置２１の上方には、コンタクトガラス２５における第１画像読取部Ｒ１にシート状の原稿を搬送する原稿搬送装置２７を搭載した原稿押さえ２８が、画像読取装置２１の背面にヒンジ部によって開閉可能に支持されている。
【００１６】
原稿押さえ２８は、コンタクトガラス２５に対して閉じて原稿の読取動作がなされる閉状態と、コンタクトガラス２５に対して開いた開状態とを取り得る。そして、原稿搬送装置２７を用いない原稿固定方式では、読み取る毎に原稿押さえ２８を開閉してコンタクトガラス２５の第２画像読取部Ｒ２に原稿を１枚ずつ取り替えて読み取りを行う。
【００１７】
原稿搬送装置２７は、複数枚の原稿を整合して積載する原稿ガイド２９ａを備えた原稿給紙トレイ２９と、コンタクトガラス２５における第１画像読取部Ｒ１の上方に位置し原稿給紙トレイ２９が突設された原稿カバー３０と、この原稿カバー３０の側方で原稿押さえ２８の上面の一部に直付けで形成された原稿排出トレイ３１とを含み、原稿給紙トレイ２９から原稿カバー３０内を経て原稿排出トレイ３１に至る原稿搬送路ｄが形成されている。
【００１８】
原稿カバー３０内には、原稿搬送路ｄに沿って上流側から順に、ピックアップローラー３２、搬送ローラー対３３、レジストローラー対３４、及び排出ローラー対３５から成る原稿搬送部が設けられている。これらのうちで搬送ローラー対３３は、駆動ローラー３３ａと分離ローラー３３ｂとから構成されていて、分離ローラー３３ｂは回転負荷が所定トルクを下回る場合のみ駆動ローラー３３ａと逆方向に回転し、回転負荷が所定トルクを上回る場合には駆動ローラー３３ａと従動回転するようになっている。
【００１９】
レジストローラー対３４と排出ローラー対３５の間には、コンタクトガラス２５における第１画像読取部Ｒ１に対向して配置され、原稿を第１画像読取部Ｒ１に向けて押圧するための原稿押圧部３６と、第１及び第２画像読取部Ｒ１、Ｒ２の間に配置された白色基準板５５と、が設けられている。白色基準板５５は、後述する位置決め部材５７に嵌め込まれた状態で第１及び第２画像読取部Ｒ１、Ｒ２の間に配置されている。なお、原稿搬送路ｄは搬送ローラー対３３から第１画像読取部Ｒ１に至る間において反転するように湾曲している。
【００２０】
原稿給紙トレイ２９上にセットされた原稿は、原稿搬送部によって１枚ずつ順次、原稿搬送路ｄを通して搬送され、第１画像読取部Ｒ１を通過した後に原稿排出トレイ３１上に順次排出される。原稿排出トレイ３１上に排出された原稿はユーザーの手によって取り出される。
【００２１】
画像読取装置２１には図２に示すように、原稿Ｑの画像面（図２の下面）に光を照射する照明部２と、原稿Ｑからの反射光（画像光）を受光して電気信号に変換するＣＣＤセンサー（光電変換部）１６と、が設けられており、原稿Ｑの画像を読み取ることが可能である。なお、原稿反射光の光路を一点鎖線で示している。画像読取装置２１の詳細構造については、後述する。
【００２２】
続いて、画像読取装置２１で読み取った原稿画像の電気信号に基づいてシートに画像を転写するために、本体ハウジング２０内に設けられた各種機構の構成について、図１を参照しながら以下に説明する。先ず、シートの給紙部について述べる。下ハウジング２０ａの下部には、種々サイズのシート（主として用紙）を収納し、正面から出し入れ可能な給紙カセット４０が配設されていて、この給紙カセット４０に収納されているシートＰは、繰り出しコロ４０ａにより１枚ずつ送り出される。また、下ハウジング２０ａの下部における左側面には、必要に応じて引き倒される開閉可能な手差しトレイ４１が設けられていて、この手差しトレイ４１にセットされているシート（用紙やＯＨＰシート）Ｐ′は、繰り出しコロ４１ａにより１枚ずつ送り出される。
【００２３】
次に、シート上にトナー画像を形成する画像形成部、及びシート上のトナー画像を定着するための定着部について述べる。下ハウジング２０ａ内における給紙カセット４０の上方には、主たる画像形成部を構成する感光体ドラム４２をはじめ、この感光体ドラム４２の周囲に、帯電装置４３、レーザー露光ユニット４４、現像装置４５、転写ローラー４６、及びクリーニング装置４７が配設されている。また、下ハウジング２０ａ内における転写ローラー４６の上方且つ連結ハウジング２０ｂの直下には定着装置４８が配設されている。
【００２４】
感光体ドラム４２は、駆動時には所定の周速度で図１中時計回り方向に回転する。感光体ドラム４２の表面は、帯電装置４３によって一様に帯電された後、ＣＣＤセンサー１６からの原稿画像の電気信号に基づくレーザー露光ユニット４４からのビーム光の照射によって、所定の明電位と暗電位の部分からなる静電潜像が形成される。
【００２５】
現像装置４５の現像ローラー４５ａは、感光体ドラム４２と所定の間隙をもって回転可能に支持され、駆動時には感光体ドラム４２と同一方向に所定の周速度で回転する。現像ローラー４５ａの表面のトナーは、感光体ドラム４２に飛翔し、トナー像が形成（現像）される。
【００２６】
ここで、給紙カセット４０（又は手差しトレイ４１）から１枚ずつ繰り出されてレジストローラー対４９に到達したシートＰ（又はＰ′）は、感光体ドラム４２上のトナー像が転写ローラー４６に接近するのに同期して、レジストローラー対４９で搬送タイミングが調整されながら上方に向けて送り出され、搬送路Ｔ１を通じて感光体ドラム４２と転写ローラー４６との間に搬送される。そして、そのシートＰの先端とトナー像の先端が一致して転写ローラー４６を通過することにより、トナー像中のトナーのほとんどがシートＰ上に転写される。
【００２７】
シートＰ上に転写されずに感光体ドラム４２の表面に残留したトナーは、クリーニング装置４７によって感光体ドラム４２から除去される。一方、トナー像が転写されたシートＰは定着装置４８へ送られる。定着装置４８は、加熱ローラー４８ａ及び加圧ローラー４８ｂからなる定着ローラー対を有していて、この定着ローラー対によって定着ニップ部を通過するシートＰ上のトナー像を加熱・加圧して定着させ、これによりシートＰには定着された転写画像が形成される。
【００２８】
定着装置４８を通過したシートＰは、そのまま垂直上方に向く垂直搬送路Ｔ２に沿って連結ハウジング２０ｂ内に搬送される。この連結ハウジング２０ｂ内には、垂直搬送路Ｔ２に連結された搬送ローラー対５０、用紙排出トレイ２３にシートＰを排出するための排出ローラー対５１が配設されている。搬送ローラー対５０から送り出されシートＰは、搬送路Ｔ３を通って排出ローラー対５１に達し、排出ローラー対５１から用紙排出トレイ２３へ排出される。
【００２９】
次に、画像読取装置２１の詳細構造について説明する。画像読取装置２１の上面には図２および図３に示すように、原稿固定方式で原稿Ｑを読み取る際に原稿Ｑの左端（副走査方向（矢印Ｙ方向）の一方端、図２の左端）を突き当てて位置決めするための位置決め部材（副走査方向位置決め部材）５７と、原稿の奥端（主走査方向（矢印Ｘ方向）の一方端、図３の上端）を突き当てて位置決めするための位置決め部材（主走査方向位置決め部材）５８と、が設けられている。
【００３０】
コンタクトガラス２５の下方には図２に示すように、照明部２を有し、副走査方向に往復移動可能な光学ユニット１と、原稿Ｑからの反射光を反射するとともに、副走査方向に往復移動可能な反射ユニット１１と、反射ユニット１１からの光を受光するＣＣＤセンサー１６を有する光電変換ユニット１５と、光学ユニット１および反射ユニット１１を副走査方向に移動させる駆動モーター５３ａを有する駆動機構５３（図７参照）と、等が設けられている。
【００３１】
光学ユニット１は、照明部２の他に、照明部２から出射し原稿Ｑで反射された反射光を直接受けて所定方向（図２の左方向）に反射する第１ミラー６を有する。
【００３２】
照明部２は、第１ミラー６に対して位置決め部材５７側（副走査方向一方側）に配置されている。照明部２は図３に示すように、主走査方向に延びる棒状（ここでは略円柱状）の導光部材３と、導光部材３の両端面に対向配置される光源４および５と、を有する。導光部材３は、位置決め部材５８側（主走査方向一方側）に配置される第１端面Ｓａと、第１端面Ｓａとは反対側（主走査方向他方側）に配置される第２端面Ｓｂと、を有する。光源４および５は、ＬＥＤなどの発光素子からなるとともに、導光部材３の第１端面Ｓａおよび第２端面Ｓｂにそれぞれ対向配置され、第１端面Ｓａおよび第２端面Ｓｂに向かって光を出射する。導光部材３の下面には、光を原稿Ｑに向かって反射させる多数のプリズムが形成されており、導光部材３は、第１端面Ｓａおよび第２端面Ｓｂから入射した光を主走査方向に沿って導光しながら原稿Ｑに向かって出射する。
【００３３】
反射ユニット１１は図２に示すように、第１ミラー６からの反射光を受けて反射する第２ミラー１２と、第２ミラー１２からの反射光を受けて光電変換ユニット１５に向かって反射する第３ミラー１３と、を有する。
【００３４】
光電変換ユニット１５は、反射ユニット１１からの反射光を導入して集光するレンズ群１７と、このレンズ群１７で集光された原稿反射光を受けて電気信号に変換するＣＣＤセンサー１６と、を有し、画像読取装置２１のフレーム２１ａに固定されている。
【００３５】
ここで、照明部２及び第１ミラー６は光学ユニット１の筐体（図示せず）に一体的に固定され、また、第２ミラー１２および第３ミラー１３は反射ユニット１１の筐体（図示せず）に一体的に固定されており、これらの光学ユニット１と反射ユニット１１は、相互に独立しているが連携して往復移動可能になっている。
【００３６】
つまり、上記のシートスルー方式で原稿画像の読取動作が行われる際は、光学ユニット１が第１画像読取部Ｒ１の直下に移動し、原稿反射光の光路長は所定長さに保持される。他方、原稿固定方式の際は、光学ユニット１と反射ユニット１１は相互に原稿反射光の光路長を上記所定長さに維持しながら第２画像読取部Ｒ２を往復移動する。
【００３７】
このような構成のもと、照明部２から照射されて原稿Ｑの画像面で反射した原稿反射光は、第１ミラー６、第２ミラー１２および第３ミラー１３で反射してレンズ群１７に導入され、レンズ群１７で集光されてＣＣＤセンサー１６上に結像する。ＣＣＤセンサー１６は、受光した反射光を電気信号に変換して出力する。そして、原稿Ｑのサイズを検出する場合には、後述する制御部６０がＣＣＤセンサー１６の出力に基づいて原稿Ｑのサイズを検出する。
【００３８】
この画像読取装置２１では、原稿Ｑの主走査方向（矢印Ｘ方向）のサイズを検出する場合、導光部材３の第２端面Ｓｂに対向配置された光源５のみが発光する。これにより、図４に示すように、原稿Ｑが位置決め部材５８に突き当てられていない場合、原稿Ｑの主走査方向の一方端（位置決め部材５８側の端部、図４の左端）に、副走査方向に延びる影Ｇ１が発生する。このため、ＣＣＤセンサー１６から影Ｇ１に応じた電気信号が出力され、この出力に基づいて原稿Ｑの主走査方向の一方端の位置が検出される。また、導光部材３の第１端面Ｓａに対向配置された光源４のみが発光する。これにより、図５に示すように、原稿Ｑの主走査方向の他方端（位置決め部材５８とは反対側の端、図５の右端）に、副走査方向に延びる影Ｇ２が発生する。このため、ＣＣＤセンサー１６から影Ｇ２に応じた電気信号が出力され、この出力に基づいて原稿Ｑの主走査方向の他方端の位置が検出される。そして、原稿Ｑの主走査方向の一方端の位置と、原稿Ｑの主走査方向の他方端の位置と、に基づいて、原稿Ｑの主走査方向のサイズが検出される。
【００３９】
また、原稿Ｑの副走査方向（矢印Ｙ方向）のサイズを検出する場合、導光部材３の第１端面Ｓａに対向配置された光源４のみ（又は、第２端面Ｓｂに対向配置された光源５のみ）を発光させた状態で光学ユニット１を副走査方向に移動させる。これにより、図６に示すように、原稿Ｑの副走査方向の他方端（位置決め部材５７とは反対側の端、図６の右端）に、主走査方向に延びる影Ｇ３が発生する。このため、ＣＣＤセンサー１６から影Ｇ３に応じた電気信号が出力され、この出力に基づいて原稿Ｑの副走査方向の他方端の位置が検出される。そして、原稿Ｑの副走査方向の他方端の位置と、位置決め部材５７の位置と、に基づいて、原稿Ｑの副走査方向のサイズが検出される。なお、光源４および５の両方を発光させても、原稿Ｑの副走査方向の他方端に影Ｇ３が発生するので、原稿Ｑの副走査方向のサイズを検出することは可能である。
【００４０】
その一方、原稿Ｑの画像を読み取る場合、導光部材３の第１端面Ｓａに対向配置された光源４と第２端面Ｓｂに対向配置された光源５との両方を発光させた状態で光学ユニット１を副走査方向に移動させる。そして、ＣＣＤセンサー１６から原稿画像に応じた電気信号が出力され、原稿画像が読み取られる。
【００４１】
図７は、画像読取装置２１の制御経路の一例を示すブロック図である。なお、画像読取装置２１を使用する上で画像形成装置１００各部の様々な制御がなされるため、全体の制御経路は複雑なものとなる。そこで、ここでは制御経路のうち、本発明の実施に必要となる部分についてのみ説明する。
【００４２】
制御部６０は、例えばＣＰＵ（Ｃｅｎｔｒａｌ  Ｐｒｏｃｅｓｓｉｎｇ  Ｕｎｉｔ；中央演算処理装置）であり、画像読取装置２１全体を制御する。例えば、制御部６０は、設定されたプログラムに従い駆動機構５３の駆動モーター５３ａに制御信号を送信して光学ユニット１及び反射ユニット１１の駆動を制御するとともに、照明部２の光源４および５の発光タイミングを個別に制御する。制御部６０は、ＣＣＤセンサー１６から送信される電気信号（データ）に基づいて、原稿Ｑのサイズを検出する。また、制御部６０は、ＣＣＤセンサー１６からの電気信号を、必要に応じて解像度処理、変倍処理或いは階調処理して画像データを作成する。
【００４３】
記憶部６１は、画像メモリー７０、ＲＯＭ（Ｒｅａｄ  Ｏｎｌｙ  Ｍｅｍｏｒｙ）７１、ＲＡＭ（Ｒａｎｄｏｍ  Ａｃｃｅｓｓ  Ｍｅｍｏｒｙ）７２を備えており、画像メモリー７０は制御部６０において作成された画像データをデジタル信号に変換して記憶する。ＲＯＭ７１、ＲＡＭ７２は制御部６０において用いられる基本プログラムや処理内容等を格納する。その他、ＲＯＭ７１、ＲＡＭ７２には、ＣＣＤセンサー１６から送信される電気信号（データ）、位置決め部材５７および５８の位置情報等が記憶される。
【００４４】
次に、本実施形態の画像読取装置２１の原稿固定方式における原稿読取動作および原稿サイズ検出動作について説明する。
【００４５】
第２画像読取部Ｒ２に原稿Ｑを載置した状態でユーザーの入力操作により操作パネル（図示せず）のコピー開始ボタンがオンされると、まず原稿読取動作が開始される。この原稿読取動作では、照明部２の光源４および５の両方が発光（点灯）した状態で、光学ユニット１が第２画像読取部Ｒ２の副走査方向の一方端部（図３の左端部）から他方端部（図３の右端部）まで移動する。これにより、ＣＣＤセンサー１６から原稿画像に応じた電気信号が出力され、原稿画像が読み取られる。なお、本実施形態では、原稿読取解像度および出力解像度が６００ｄｐｉであるため、光学ユニット１が副走査方向に約４２μｍ移動する毎にＣＣＤセンサー１６から電気信号が出力される。
【００４６】
そして、光学ユニット１が元の位置（第２画像読取部Ｒ２の副走査方向の一方端部、図３の左端部）に戻ることによって、原稿読取動作が終了する。
【００４７】
その後、原稿サイズ検出動作が開始される。この原稿サイズ検出動作では、照明部２の光源５のみが発光（点灯）した状態と光源４のみが発光（点灯）した状態とを交互に繰り返しながら、光学ユニット１が第２画像読取部Ｒ２の副走査方向の一方端部（図３の左端部）から他方端部（図３の右端部）まで移動する。
【００４８】
このとき、原稿Ｑの主走査方向の一方端（位置決め部材５８側の端）に、副走査方向に延びる影Ｇ１が発生する状態と、原稿Ｑの主走査方向の他方端（位置決め部材５８とは反対側の端）に、副走査方向に延びる影Ｇ２が発生する状態と、が交互に繰り返され、原稿Ｑの主走査方向の一方端の位置と、原稿Ｑの主走査方向の他方端の位置と、が検出される。なお、原稿Ｑが位置決め部材５８に突き当てられている場合、原稿Ｑの主走査方向の一方端に影Ｇ１は発生しないが、位置決め部材５８の位置に基づいて原稿Ｑの主走査方向の一方端の位置を検出することは可能である。また、原稿Ｑの副走査方向の他方端では、主走査方向に延びる影Ｇ３が発生し、原稿Ｑの副走査方向の他方端の位置が検出される。これにより、原稿Ｑの主走査方向の一方端の位置（又は、位置決め部材５８の位置）と、原稿Ｑの主走査方向の他方端の位置と、に基づいて、原稿Ｑの主走査方向のサイズが検出されるとともに、原稿Ｑの副走査方向の他方端の位置と、位置決め部材５７の位置と、に基づいて、原稿Ｑの副走査方向のサイズが検出される。
【００４９】
そして、光学ユニット１が元の位置（第２画像読取部Ｒ２の副走査方向の一方端部、図３の左端部）に戻ることによって、原稿サイズ検出動作が終了する。
【００５０】
その後、原稿読取動作によって読み取られた原稿画像に関するデータ、及び原稿サイズ検出動作によって検出された原稿サイズに関するデータに基づいて、本体ハウジング２０内で画像形成処理が行われる。
【００５１】
本実施形態では、上記のように、光学ユニット１の照明部２は、主走査方向に延びる導光部材３と、導光部材３の両端面に対向配置される光源４および５と、を有する。そして、制御部６０は、導光部材３の第２端面Ｓｂに対向配置された光源５のみを発光させることにより原稿Ｑの主走査方向の一方端に発生する影Ｇ１に応じたＣＣＤセンサー１６の出力に基づいて原稿Ｑの主走査方向の一方端の位置を検出する。また、制御部６０は、導光部材３の第１端面Ｓａに対向配置された光源４のみを発光させることにより原稿Ｑの主走査方向の他方端に発生する影Ｇ２に応じたＣＣＤセンサー１６の出力に基づいて原稿Ｑの主走査方向の他方端の位置を検出する。そして、検出した原稿Ｑの主走査方向の一方端の位置と他方端の位置とに基づいて、原稿Ｑの主走査方向のサイズを検出する。これにより、原稿Ｑの主走査方向のサイズの検出精度を向上させることができる。
【００５２】
また、原稿Ｑの主走査方向の一方端の位置と他方端の位置とを検出するので、原稿Ｑの奥端（主走査方向の一方端）が位置決め部材５８に突き当てられていない場合であっても、原稿Ｑの主走査方向のサイズを検出することができる。
【００５３】
また、上記のように、照明部２は、第１ミラー６に対して位置決め部材５７側に配置されている。これにより、原稿Ｑの副走査方向のサイズを検出する場合、原稿Ｑの副走査方向の他方端には主走査方向に延びる影Ｇ３が発生するので、原稿Ｑの副走査方向の他方端の位置を検出することができる。このため、原稿Ｑの副走査方向の他方端の位置と、位置決め部材５７の位置と、に基づいて、原稿Ｑの副走査方向のサイズを検出することができる。
【００５４】
また、上記のように、原稿Ｑの画像を読み取る場合、第１端面Ｓａに対向配置された光源４と第２端面Ｓｂに対向配置された光源５との両方が発光する。これにより、原稿折れやシワによる影の無い画像を得ることができる。
【００５５】
（第２実施形態）
この第２実施形態では、原稿Ｑの副走査方向の他方端の位置だけでなく、原稿Ｑの副走査方向の一方端（位置決め部材５７側の端）の位置も検出する例について説明する。
【００５６】
本実施形態では図８および図９に示すように、光学ユニット１には、照明部２と同様の構造を有する第１照明部２ａおよび第２照明部２ｂが設けられている。第１照明部２ａは、照明部２と同様、第１ミラー６に対して位置決め部材５７側（副走査方向一方側）に配置されている。第２照明部２ｂは、第１ミラー６に対して位置決め部材５７とは反対側（副走査方向他方側）に配置されている。
【００５７】
第１照明部２ａは、第１導光部材３ａと、第１導光部材３ａの両端面に対向配置される第１光源４ａおよび５ａと、を有する。第２照明部２ｂは、第２導光部材３ｂと、第２導光部材３ｂの両端面に対向配置される第２光源４ｂおよび５ｂと、を有する。
【００５８】
第２実施形態のその他の構造は、上記第１実施形態と同様である。
【００５９】
本実施形態の画像読取装置２１では、原稿Ｑの主走査方向（矢印Ｘ方向）のサイズを検出する場合、第１導光部材３ａの第２端面Ｓｂに対向配置された第１光源５ａのみが発光する。これにより、図１０に示すように、原稿Ｑの主走査方向の一方端（位置決め部材５８側の端、図１０の左端）に、副走査方向に延びる影Ｇ１が発生する。このため、原稿Ｑの主走査方向の一方端の位置が検出される。また、第１導光部材３ａの第１端面Ｓａに対向配置された第１光源４ａのみが発光する。これにより、図１１に示すように、原稿Ｑの主走査方向の他方端（位置決め部材５８とは反対側の端、図１１の右端）に、副走査方向に延びる影Ｇ２が発生する。このため、原稿Ｑの主走査方向の他方端の位置が検出される。そして、原稿Ｑの主走査方向の一方端の位置と、原稿Ｑの主走査方向の他方端の位置と、に基づいて、原稿Ｑの主走査方向のサイズが検出される。なお、第２導光部材３ｂの第２端面Ｓｂに対向配置された第２光源５ｂのみ（又は、第１光源５ａおよび第２光源５ｂの両方）を発光させても、原稿Ｑの主走査方向の一方端に影Ｇ１が発生するので、原稿Ｑの主走査方向の一方端の位置を検出することは可能である。また、第２導光部材３ｂの第１端面Ｓａに対向配置された第２光源４ｂのみ（又は、第１光源４ａおよび第２光源４ｂの両方）を発光させても、原稿Ｑの主走査方向の他方端に影Ｇ２が発生するので、原稿Ｑの主走査方向の他方端の位置を検出することは可能である。
【００６０】
また、原稿Ｑの副走査方向（矢印Ｙ方向）のサイズを検出する場合、第２導光部材３ｂの第１端面Ｓａに対向配置された第２光源４ｂのみ（又は、第２端面Ｓｂに対向配置された第２光源５ｂのみ）を発光させた状態で光学ユニット１を副走査方向に移動させる。これにより、図１２に示すように、原稿Ｑが位置決め部材５７に突き当てられていない場合、原稿Ｑの副走査方向の一方端（位置決め部材５７側の端、図１２の左端）に、主走査方向に延びる影Ｇ４が発生する。このため、原稿Ｑの副走査方向の一方端の位置が検出される。また、第１導光部材３ａの第１端面Ｓａに対向配置された第１光源４ａのみ（又は、第２端面Ｓｂに対向配置された第１光源５ａのみ）を発光させた状態で光学ユニット１を副走査方向に移動させる。これにより、図１３に示すように、原稿Ｑの副走査方向の他方端（位置決め部材５７とは反対側の端、図１３の右端）に、主走査方向に延びる影Ｇ３が発生する。このため、原稿Ｑの副走査方向の他方端の位置が検出される。そして、原稿Ｑの副走査方向の一方端の位置と、原稿Ｑの副走査方向の他方端の位置と、に基づいて、原稿Ｑの副走査方向のサイズが検出される。なお、第２光源４ｂおよび５ｂの両方を発光させても、原稿Ｑの副走査方向の一方端に影Ｇ４が発生するので、原稿Ｑの副走査方向の一方端の位置を検出することは可能である。同様に、第１光源４ａおよび５ａの両方を発光させても、原稿Ｑの副走査方向の他方端に影Ｇ３が発生するので、原稿Ｑの副走査方向の他方端の位置を検出することは可能である。
【００６１】
その一方、原稿Ｑの画像を読み取る場合、第１光源４ａおよび５ａと第２光源４ｂおよび５ｂとの全てを発光させた状態で光学ユニット１を副走査方向に移動させる。そして、ＣＣＤセンサー１６から原稿画像に応じた電気信号が出力され、原稿画像が読み取られる。
【００６２】
次に、本実施形態の画像読取装置２１の原稿固定方式における原稿読取動作および原稿サイズ検出動作について説明する。
【００６３】
第２画像読取部Ｒ２に原稿Ｑを載置した状態でユーザーの入力操作により操作パネル（図示せず）のコピー開始ボタンがオンされると、まず原稿読取動作が開始される。この原稿読取動作では、第１照明部２ａの第１光源４ａおよび５ａと第２照明部２ｂの第２光源４ｂおよび５ｂとの全てが発光（点灯）した状態で、光学ユニット１が第２画像読取部Ｒ２の副走査方向の一方端部（図９の左端部）から他方端部（図９の右端部）まで移動する。これにより、ＣＣＤセンサー１６から原稿画像に応じた電気信号が出力され、原稿画像が読み取られる。
【００６４】
そして、光学ユニット１が元の位置（第２画像読取部Ｒ２の副走査方向の一方端部、図９の左端部）に戻ることによって、原稿読取動作が終了する。
【００６５】
その後、原稿サイズ検出動作が開始される。この原稿サイズ検出動作では、第２光源５ｂのみが発光（点灯）した状態と第２光源４ｂのみが発光（点灯）した状態とを交互に繰り返しながら、光学ユニット１が第２画像読取部Ｒ２の副走査方向の一方端部（図９の左端部）から他方端部（図９の右端部）に向かって移動する。このとき、原稿Ｑの副走査方向の一方端（位置決め部材５７側の端）では、主走査方向に延びる影Ｇ４が発生し、原稿Ｑの副走査方向の一方端の位置が検出される。なお、原稿Ｑが位置決め部材５７に突き当てられている場合、原稿Ｑの副走査方向の一方端に影Ｇ４は発生しないが、位置決め部材５７の位置に基づいて原稿Ｑの副走査方向の一方端の位置を検出することは可能である。
【００６６】
その後、第１光源５ａのみが発光（点灯）した状態と第１光源４ａのみが発光（点灯）した状態とを交互に繰り返しながら、光学ユニット１が第２画像読取部Ｒ２の副走査方向の他方端部（図９の右端部）まで移動する。このとき、原稿Ｑの主走査方向の一方端（位置決め部材５８側の端）に、副走査方向に延びる影Ｇ１が発生する状態と、原稿Ｑの主走査方向の他方端（位置決め部材５８とは反対側の端）に、副走査方向に延びる影Ｇ２が発生する状態と、が交互に繰り返され、原稿Ｑの主走査方向の一方端の位置と、原稿Ｑの主走査方向の他方端の位置と、が検出される。なお、原稿Ｑが位置決め部材５８に突き当てられている場合、原稿Ｑの主走査方向の一方端に影Ｇ１は発生しないが、位置決め部材５８の位置に基づいて原稿Ｑの主走査方向の一方端の位置を検出することは可能である。また、原稿Ｑの副走査方向の他方端では、主走査方向に延びる影Ｇ３が発生し、原稿Ｑの副走査方向の他方端の位置が検出される。これにより、原稿Ｑの主走査方向の一方端の位置（又は、位置決め部材５８の位置）と、原稿Ｑの主走査方向の他方端の位置と、に基づいて、原稿Ｑの主走査方向のサイズが検出されるとともに、原稿Ｑの副走査方向の一方端の位置（又は、位置決め部材５７の位置）と、原稿Ｑの副走査方向の他方端の位置と、に基づいて、原稿Ｑの副走査方向のサイズが検出される。
【００６７】
そして、光学ユニット１が元の位置（第２画像読取部Ｒ２の副走査方向の一方端部、図９の左端部）に戻ることによって、原稿サイズ検出動作が終了する。
【００６８】
第２実施形態の画像読取装置２１の原稿読取動作および原稿サイズ検出動作のその他の動作は、上記第１実施形態と同様である。
【００６９】
本実施形態では、上記のように、光学ユニット１には、第１ミラー６に対して位置決め部材５７側（副走査方向一方側）に配置される第１導光部材３ａと、第１ミラー６に対して位置決め部材５７とは反対側（副走査方向他方側）に配置される第２導光部材３ｂと、第１導光部材３ａの主走査方向の端面に対向配置される第１光源４ａおよび５ａと、第２導光部材３ｂの主走査方向の端面に対向配置される第２光源４ｂおよび５ｂと、が設けられている。これにより、原稿Ｑの副走査方向のサイズを検出する場合、第１照明部２ａ（第１導光部材３ａ、第１光源４ａおよび５ａ）を用いることによって原稿Ｑの副走査方向の他方端に影Ｇ３を発生させ、原稿Ｑの副走査方向の他方端の位置を検出することができるとともに、第２照明部２ｂ（第２導光部材３ｂ、第２光源４ｂおよび５ｂ）を用いることによって原稿Ｑの副走査方向の一方端に影Ｇ４を発生させ、原稿Ｑの副走査方向の一方端の位置を検出することができる。このため、原稿Ｑの副走査方向の他方端の位置と、原稿Ｑの副走査方向の一方端の位置と、に基づいて、原稿Ｑの副走査方向のサイズを検出することができる。すなわち、原稿Ｑの左端（副走査方向の一方端）が位置決め部材５７に突き当てられていない場合であっても、原稿Ｑの副走査方向のサイズを検出することができる。
【００７０】
第２実施形態のその他の効果は、上記第１実施形態と同様である。
【００７１】
（第３実施形態）
この第３実施形態では、光学ユニット１を副走査方向に一往復させる間に原稿読取動作および原稿サイズ検出動作の両方を実行する場合について説明する。ここでは、上記第１実施形態の画像読取装置２１を用いて説明するが、上記第２実施形態の画像読取装置２１を用いても同様に実行することが可能である。
【００７２】
第２画像読取部Ｒ２に原稿Ｑを載置した状態でユーザーの入力操作により操作パネル（図示せず）のコピー開始ボタンがオンされ原稿読取動作が開始されると、照明部２の光源４および５の両方が発光（点灯）した状態で、光学ユニット１が第２画像読取部Ｒ２の副走査方向の一方端部から他方端部まで移動し、原稿画像が読み取られる。これにより、原稿読取動作が終了する。
【００７３】
その後、光学ユニット１が第２画像読取部Ｒ２の副走査方向の他方端部に配置された状態で、原稿サイズ検出動作が開始される。この原稿サイズ検出動作では、光学ユニット１が第２画像読取部Ｒ２の副走査方向の他方端部から一方端部まで移動することによって、原稿Ｑの副走査方向の他方端の位置と、原稿Ｑの主走査方向の一方端の位置と、原稿Ｑの主走査方向の他方端の位置と、が検出される。これにより、原稿Ｑの主走査方向のサイズが検出されるとともに、原稿Ｑの副走査方向のサイズが検出され、原稿サイズ検出動作が終了する。
【００７４】
このように、光学ユニット１を副走査方向に一往復させる間に、原稿読取動作および原稿サイズ検出動作の両方を実行することが可能である。
【００７５】
本実施形態では、上記のように、光学ユニット１がコンタクトガラス２５の下方を副走査方向に往復移動する場合、往路時に原稿Ｑの画像の読み取り動作を行い、復路時に原稿Ｑのサイズの検出動作を行う。これにより、光学ユニット１を副走査方向に一往復させる間に、原稿Ｑのサイズの検出動作と原稿Ｑの画像の読み取り動作との両方を行うことができるので、処理時間を短縮することができる。
【００７６】
第３実施形態のその他の効果は、上記第１実施形態および第２実施形態と同様である。
【００７７】
（第４実施形態）
この第４実施形態では、光学ユニット１を第２画像読取部Ｒ２の副走査方向の一方端部から他方端部まで移動させる間に原稿読取動作および原稿サイズ検出動作の両方を実行する場合について説明する。ここでは、上記第１実施形態の画像読取装置２１を用いて説明するが、上記第２実施形態の画像読取装置２１を用いても同様に実行することが可能である。
【００７８】
第２画像読取部Ｒ２に原稿Ｑを載置した状態でユーザーの入力操作により操作パネル（図示せず）のコピー開始ボタンがオンされると、原稿読取動作および原稿サイズ検出動作が開始される。具体的には、光学ユニット１が第２画像読取部Ｒ２の副走査方向の一方端部から他方端部まで移動する際（往路時）に、照明部２の光源４および５の両方が発光（点灯）した状態と、光源４のみが発光（点灯）した状態と、光源４および５の両方が発光（点灯）した状態と、光源５のみが発光（点灯）した状態と、が繰り返される。これにより、ＣＣＤセンサー１６から原稿画像に応じた電気信号が出力され、原稿画像が読み取られる動作と、原稿Ｑの主走査方向の他方端の位置および副走査方向の他方端の位置を検出する動作と、原稿画像が読み取られる動作と、原稿Ｑの主走査方向の一方端の位置および副走査方向の他方端の位置を検出する動作と、が繰り返される。これにより、原稿読取動作および原稿サイズ検出動作の両方が終了する。
【００７９】
なお、本実施形態では、光学ユニット１が副走査方向に約２１μｍ移動する毎にＣＣＤセンサー１６から電気信号が出力され、１２００ｄｐｉの解像度で読み取りが行われる。そして、原稿サイズ検出動作のために原稿読み取りを行わなかった部分については、隣接する領域（原稿読み取りが行われた領域）の読取データが補完されて画像形成処理される。
【００８０】
そして、光学ユニット１が元の位置（第２画像読取部Ｒ２の副走査方向の一方端部）に戻り、次回の原稿読取動作および原稿サイズ検出動作に備える。
【００８１】
本実施形態では、上記のように、光学ユニット１がコンタクトガラス２５の下方を副走査方向に往復移動する場合、往路時に原稿Ｑのサイズの検出動作と原稿Ｑの画像の読み取り動作とを交互に繰り返し行う。これにより、光学ユニット１を副走査方向に一往復させる間に、原稿Ｑのサイズの検出動作と原稿Ｑの画像の読み取り動作との両方を行うことができるので、処理時間を短縮することができる。
【００８２】
また、往路時に原稿Ｑのサイズの検出動作と原稿Ｑの画像の読み取り動作との両方を行うことによって、光学ユニット１の往路移動動作が終了した時点で（光学ユニット１を元の位置（第２画像読取部Ｒ２の副走査方向の一方端部）に戻す前に）、画像形成処理に取りかかることも可能であるので、処理時間をより短縮することが可能である。
【００８３】
第４実施形態のその他の効果は、上記第１実施形態および第２実施形態と同様である。
【００８４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８５】
例えば、本発明の画像読取装置が搭載される画像形成装置として、ここではデジタル複合機についてのみ示したが、本発明はアナログ方式の複写機やカラー複写機等の、他のタイプの画像形成装置、或いは画像形成装置と別体のイメージスキャナーにも適用できるのはもちろんである。
【００８６】
また、例えば上記第１〜第３実施形態では、原稿読取動作の後に原稿サイズ検出動作を行う例について示したが、原稿読取動作の前に原稿サイズ検出動作を行ってもよい。
【００８７】
また、上記第２実施形態では、第１導光部材３ａの両端面および第２導光部材３ｂの両端面の全てに光源を配置した例について示したが、本発明はこれに限らない。例えば上記第２実施形態において、第１光源４ａおよび第２光源５ｂだけを設けてもよいし、第１光源５ａおよび第２光源５ａだけを設けてもよい。この場合にも、原稿Ｑの主走査方向の一方端の位置および他方端の位置と、原稿Ｑの副走査方向の一方端の位置および他方端の位置と、を検出することは可能である。
【００８８】
また、上記実施形態では、原稿Ｑの主走査方向の一方端を位置決めするための位置決め部材５８を設けた例について示したが、位置決め部材５８を設けなくてもよい。
【００８９】
また、上記第２実施形態では、第１導光部材３ａおよび第２導光部材３ｂを設けるとともに、原稿Ｑの副走査方向の一方端を位置決めするための位置決め部材５７を設けた例について示したが、第１導光部材３ａおよび第２導光部材３ｂを設ける場合は位置決め部材５７を設けなくてもよい。
【００９０】
また、上記第２実施形態では、原稿Ｑの副走査方向のサイズを検出する際に、第２照明部２ｂを用いて原稿Ｑの副走査方向の一方端の位置を検出した後は、第１照明部２ａを用いて原稿Ｑの副走査方向の他方端の位置を検出する例について示したが、本発明はこれに限らない。例えば、第１照明部２ａと第２照明部２ｂとを交互に発光（点灯）させても、原稿Ｑの副走査方向の一方端の位置および他方端の位置を検出することができる。
【００９１】
また、上記第４実施形態では、原稿読取動作および原稿サイズ検出動作の両方が終了した後に光学ユニット１を元の位置に戻した例について示したが、本発明はこれに限らない。原稿読取動作および原稿サイズ検出動作の両方が終了した後は光学ユニット１をその位置で待機させ、次回の原稿読取動作および原稿サイズ検出動作は光学ユニット１を逆方向へ移動（復路移動動作）することによって行ってもよい。
【００９２】
また、上述した実施形態および変形例の構成を適宜組み合わせて得られる構成についても、本発明の技術的範囲に含まれる。
【符号の説明】
【００９３】
１  光学ユニット
２  照明部
２ａ  第１照明部（照明部）
２ｂ  第２照明部（照明部）
３  導光部材
３ａ  第１導光部材（導光部材）
３ｂ  第２導光部材（導光部材）
４  光源
４ａ、５ａ  第１光源（光源）
４ｂ、５ｂ  第２光源（光源）
６  第１ミラー（ミラー）
１６  ＣＣＤセンサー（光電変換部）
２１  画像読取装置
２５  コンタクトガラス
５３  駆動機構
５７  位置決め部材（副走査方向位置決め部材）
５８  位置決め部材（主走査方向位置決め部材）
１００  画像形成装置
Ｇ１、Ｇ２、Ｇ３、Ｇ４  影
Ｑ  原稿
Ｓａ  第１端面
Ｓｂ  第２端面
【図１】
0006489069.tif 000002
【図２】
0006489069.tif 000003
【図３】
0006489069.tif 000004
【図４】
0006489069.tif 000005
【図５】
0006489069.tif 000006
【図６】
0006489069.tif 000007
【図７】
0006489069.tif 000008
【図８】
0006489069.tif 000009
【図９】
0006489069.tif 000010
【図１０】
0006489069.tif 000011
【図１１】
0006489069.tif 000012
【図１２】
0006489069.tif 000013
【図１３】
0006489069.tif 000014